(57)【要約】【課題】長期使用による変形を防止する上で有利な電波望遠鏡の日除けパネルを提供すること。【解決手段】日除けパネル１８は、主鏡骨組み１４に取り付けられる枠状のフレーム２０と、枠状のフレーム２０の内側空間に配置される発泡材料からなる断熱板２２と、フレーム２０の厚さ方向の両面に取着されたカバー２４とで構成されている。断熱板２２は、その正面２４Ａ、背面２４Ｂ、側面２４Ｃを含む表面の全域に、熱加工により溶解されることで水の浸入の阻止する皮膜２２０２が形成されている。皮膜２２０２は、平坦な加熱面を有するホットプレートを断熱板２２の表面に当て付けることで形成されている。カバー２４とフレーム２０はねじ３０で結合され、カバー２４と断熱板２２の正面２４Ａおよび背面２４Ｂは、接着剤４０により接合される。【選択図】図５
2010041468.tif 000002
【特許請求の範囲】
【請求項１】
電波望遠鏡の主鏡パネルを支える主鏡骨組みの前面と反対に位置する背面に取り付けられる日除けパネルであって、
前記日除けパネルは、
前記主鏡骨組みに取り付けられる枠状の剛性を有するフレームと、
前記枠状のフレームの内側空間に配置される発泡材料からなる断熱板と、
前記フレームの厚さ方向の両面に取着され前記断熱板を覆うカバーとで構成され、
前記断熱板は前記カバーに臨む正面と背面と、それら正面と背面とを接続し前記フレームに臨む側面とを有し、
前記断熱板の前記正面と前記背面間の寸法は、前記フレームの厚さと同一の寸法で形成され、
前記断熱板は、その正面、背面、側面を含む表面の全域に、熱加工により溶解されることで水の浸入を阻止する皮膜が形成されており、
前記フレームの複数箇所に水抜き用の欠部が設けられ、
前記カバーとフレームはねじにより結合され、前記カバーと前記断熱板の正面および背面は接着剤により接合されている、
ことを特徴とする電波望遠鏡の日除けパネル。
【請求項２】
前記発泡性材料は、塩化ビニルを主成分とする発泡性材料である、
ことを特徴とする請求項１記載の電波望遠鏡の日除けパネル。
【請求項３】
前記フレームは、鋼製であり、
前記カバーは、アルミ合金製である、
ことを特徴とする請求項１記載の電波望遠鏡の日除けパネル。
【請求項４】
前記皮膜は、平坦な加熱面を有するホットプレートを前記断熱板の表面に当て付けることで形成されている、
ことを特徴とする請求項１記載の電波望遠鏡の日除けパネル。
【請求項５】
電波望遠鏡の主鏡パネルを支える主鏡骨組みの前面と反対に位置する背面に取り付けられる日除けパネルの製造方法であって、
前記日除けパネルは、
前記主鏡骨組みに取り付けられる枠状の剛性を有するフレームと、
前記枠状のフレームの内側空間に配置される発泡材料からなる断熱板と、
前記フレームの厚さ方向の両面に取着され前記断熱板を覆うカバーとで構成され、
前記断熱板は前記カバーに臨む正面と背面と、それら正面と背面とを接続し前記フレームに臨む側面とを有し、
前記断熱板は、その正面、背面、側面を含む表面の全域に、熱加工により溶解されることで水の浸入を阻止する皮膜が形成されており、
前記フレームの複数箇所に水抜き用の欠部が設けられ、
前記カバーとフレームはねじにより結合され、前記カバーと前記断熱板の正面および背面は接着剤により接合され、
前記断熱板を、前記正面と背面のうちの一方の面と前記側面とを予め熱加工により溶解してそれらの面に前記皮膜を形成しておき、
その後、定盤上において前記フレームをその厚さ方向を上下方向に向けて載置し、
前記フレームの内側空間内に、前記皮膜が形成された前記正面と背面のうちの一方の面を下に向けて前記断熱板を挿入して定盤上に載置し、
前記フレームの上方からホットプレートの平坦な加熱面を、上方を向いた前記フレームの厚さ方向の面をストッパ面として、前記皮膜が形成されていない前記断熱板の前記正面と背面のうちの他方の面に押し当てることで前記他方の面に皮膜を形成し、前記断熱板の前記正面と前記背面間の寸法を、前記フレームの厚さと同一の寸法に形成するようにした、
ことを特徴とする電波望遠鏡の日除けパネルの製造方法。
【発明の詳細な説明】
【技術分野】
【０００１】
本発明は電波望遠鏡の日除けパネルとその製造方法に関する。
【背景技術】
【０００２】
電波望遠鏡では、主鏡パネルと、主鏡パネルの前方に配置された副鏡を有し、主鏡パネルは主鏡骨組みの前面で支持され、主骨組みの背面に多数の日除けパネルが取り付けられ、日除けパネルにより主鏡パネルへの断熱効果が得られるようにしている。
この種の日除けパネルには、断熱性に加え軽量性が要求されており、そのため、従来では、六角柱状の空間がハニカム状に多数形成された剛性を有するフレームと、このフレームの六角柱状の空間に充填された発泡性材料と、それら発泡性材料を覆い内部に雨水が侵入しないようにフレームの両面に取着されたカバーで構成されている。
【特許文献１】特開平８−２５８２０１
【発明の開示】
【発明が解決しようとする課題】
【０００３】
しかしながら、このような従来の日除けパネルでは、長期使用によりカバーの内側に雨水が侵入し、この雨水が発泡性材料に浸み込み、発泡性材料が膨張して日除けパネルが変形してくる不具合があった。
本発明者は前記事情に鑑み案出されたものであって、本発明の目的は、軽量で長期使用による変形を防止する上で有利な電波望遠鏡の日除けパネルとその製造方法を提供することにある。
【課題を解決するための手段】
【０００４】
前記目的を達成するため本発明は、電波望遠鏡の主鏡パネルを支える主鏡骨組みの前面と反対に位置する背面に取り付けられる日除けパネルであって、前記日除けパネルは、前記主鏡骨組みに取り付けられる枠状の剛性を有するフレームと、前記枠状のフレームの内側空間に配置される発泡材料からなる断熱板と、前記フレームの厚さ方向の両面に取着され前記断熱板を覆うカバーとで構成され、前記断熱板は前記カバーに臨む正面と背面と、それら正面と背面とを接続し前記フレームに臨む側面とを有し、前記断熱板の前記正面と前記背面間の寸法は、前記フレームの厚さと同一の寸法で形成され、前記断熱板は、その正面、背面、側面を含む表面の全域に、熱加工により溶解されることで水の浸入を阻止する皮膜が形成されており、前記フレームの複数箇所に水抜き用の欠部が設けられ、前記カバーとフレームはねじにより結合され、前記カバーと前記断熱板の正面および背面は接着剤により接合されていることを特徴とする。
また、本発明は、上述の日除けパネルの製造方法であって、前記断熱板を、前記正面と背面のうちの一方の面と前記側面とを予め熱加工により溶解してそれらの面に前記皮膜を形成しておき、その後、定盤上において前記フレームをその厚さ方向を上下方向に向けて載置し、前記フレームの内側空間内に、前記皮膜が形成された前記正面と背面のうちの一方の面を下に向けて前記断熱板を挿入して定盤上に載置し、前記フレームの上方からホットプレートの平坦な加熱面を、上方を向いた前記フレームの厚さ方向の面をストッパ面として、前記皮膜が形成されていない前記断熱板の前記正面と背面のうちの他方の面に押し当てることで前記他方の面に皮膜を形成し、前記断熱板の前記正面と前記背面間の寸法を、前記フレームの厚さと同一の寸法に形成するようにしたことを特徴とする。
【発明の効果】
【０００５】
本発明の日除けパネルによれば、雨水が各日除けパネルの内部に侵入しても、水抜き用の欠部から外部に排出され、また、日除けパネルの内部に侵入した雨水は、皮膜により断熱板の内部への浸み込みが阻止されているので、雨水が断熱板に浸み込んで日除けパネルを変形させる従来の不具合を解消できる。
また、本発明の日除けパネルの製造方法によれば、断熱板の厚さをフレームの厚さと同一の寸法に簡単に正確に形成できる。
【発明を実施するための最良の形態】
【０００６】
以下、本発明の実施の形態を図面にしたがって説明する。
図１は電波望遠鏡の説明図、図２（Ａ）は日除けパネルの平面図、（Ｂ）は（Ａ）のＢ矢視図、図３はフレームの複数の内側空間にそれぞれ断熱板が配置された状態の平面図、図４は日除けパネルのフレームの分解斜視図、図５（Ａ）は図２のＸＸ断面図、（Ｂ）は図２のＹＹ断面図、図６（Ａ）は断熱板の斜視図、（Ｂ）は断熱板の断面図を示す。
電波望遠鏡１０は、架台１２上で傾動可能に支持された主鏡骨組み１４を有し、主鏡パネル１６はこの主鏡骨組み１４の前面で支持され、主鏡パネル１６の前方に副鏡１７が配置され、主鏡骨組み１４の背面に多数の日除けパネル１８が取り付けられている。
【０００７】
主鏡骨組み１４の背面には、多数の矩形状のパネル取り付け用空間が画成されており、多数の日除けパネル１８は、それら各パネル取り付け用空間に挿入される形状で形成されている。
日除けパネル１８は、主鏡骨組み１４に取り付けられる枠状のフレーム２０（図３、図４参照）と、枠状のフレーム２０の内側空間に配置される発泡材料からなる断熱板２２（図６参照）と、フレーム２０の厚さ方向の両面に取着されたカバー２４（図２、図５参照）とで構成されている。
【０００８】
図３、図４に示すように、枠状のフレーム２０は剛性を有する部材、例えば、断面がコ字状の鋼材で形成され、フレーム２０は、日除けパネル１８の強度剛性を確保する部材として機能する。
フレーム２０は、例えば、矩形枠状に配置され外枠を構成する４本の外メンバー２００２と、それら外メンバーの内側に配置された３本の縦メンバー２００４と、それら外メンバー２００２と縦メンバー２００４との間および縦メンバー２００４間に配置される８本の横メンバー２００６で構成されている。
なお、それらメンバー２００２、２００４、２００６同士の連結は、例えば、溶接により接合されている。
そして、各メンバー２００２、２００４、２００６により、複数の断熱板２２がそれぞれ挿入される複数の内側空間２０１０が区画されている。それら内側空間２０１０は、枠状のフレーム２０の厚さ方向に貫通している。
また、各メンバー２００２、２００４の適宜箇所および横メンバー２００６の長手方向の両端に水抜き用の欠部２０２０が形成されている。
また、フレーム２０の厚さ方向の両面の複数箇所に、カバー２４を取着するためのねじ孔２０４０が形成されている。
なお、このようなフレーム２０の構造は種々考えられ、要するにフレーム２０は、日除けパネル１８の強度剛性を確保する部材として機能し、断熱板２２が挿入される内側空間２０１０を有し、内部に侵入した雨水を外部に排出させる水抜き用の欠部２０２０を有していればよい。
【０００９】
断熱板２２は複数設けられ、それぞれ複数の内側空間２０１０に挿入される形状で形成され、断熱板２２を発泡性材料を用いて形成することで、日除けパネル１８の断熱性と軽量性を確保するようにしている。
図６に示すように、断熱板２２はその厚さ方向の両面がカバー２４に臨む正面２４Ａ、背面２４Ｂとなっており、それら正面２４Ａと背面２４Ｂとを接続しフレーム２０に臨む面が側面２４Ｃとなっている。
断熱板２２は、その正面２４Ａ、背面２４Ｂ、側面２４Ｃを含む表面の全域に、熱加工により溶解されることで水の浸入の阻止する皮膜２２０２が形成されている。
皮膜２２０２は、平坦な加熱面を有するホットプレートを断熱板２２の表面に当て付けることで形成されている。
断熱板２２を構成する発泡性材料は、熱加工により溶解することで水の浸入の阻止する皮膜２２０２が形成されるものであればよく、例えば、塩化ビニルなどを主成分とする発泡性材料が使用可能である。
皮膜２２０２が断熱板２２の表面の全域に形成されることで、正面２４Ａ、背面２４Ｂ、側面２４Ｃは皮膜２２０２で形成されることになる。
そして、正面２４Ａと背面２４Ｂとの間隔である断熱板２２の厚さは、皮膜２２０２を形成することにより、フレーム２０の厚さと同一の寸法に形成されている。
この場合、断熱板２２を、正面２４Ａと背面２４Ｂのうちの一方の面と側面２４Ｃとを予め熱加工により溶解してそれらの面に皮膜２２０２を形成しておき、その後、定盤上においてフレーム２０をその厚さ方向を上下方向に向けて載置し、フレーム２０の内側空間２０１０内に、皮膜２２０２が形成された正面２４Ａと背面２４Ｂのうちの一方の面を下に向けて断熱板２２を挿入して定盤上に載置し、フレーム２０の上方からホットプレートの平坦な加熱面を、上方を向いたフレーム２０の厚さ方向の面をストッパ面として、皮膜２２０２が形成されていない断熱板２２の正面２４Ａと背面２４Ｂのうちの他方の面に押し当てることで他方の面に皮膜を形成すると、断熱板２２の厚さをフレーム２０の厚さと同一の寸法に簡単に正確に形成することが可能となる。
【００１０】
図２、図５に示すように、カバー２４は、フレーム２０の厚さ方向の両面に取着され断熱板２２を覆っている。
カバー２４は、アルミ合金製であり、フレーム２０のねじ孔２０４０に対応する複数箇所にねじ挿通孔が形成されている。
カバー２４とフレーム２０は、カバー２４のねじ挿通孔に挿通されフレーム２０のねじ孔２０４０に螺合されたねじ３０で結合される。
また、カバー２４と断熱板２２の正面２４Ａおよび背面２４Ｂは、図５に示すように、接着剤４０により接合される。
また、このように日除けパネル１８が組み立てられた状態で、２枚のカバー２４のうちの一方のカバー２４の複数箇所に、図２で示すように、日除けパネル１８を主鏡骨組み１４に取り付けるためのフランジ２４１０がねじでカバー２４およびフレーム２０に取着され、フランジ２４１０には、日除けパネル１８を主鏡骨組み１４に結合させるためのボルト２４１２が立設されている。
なお、日除けパネル１８を主鏡骨組み１４に取り付けるための構造は種々考えられ、例えば、フレーム２０に、主鏡骨組み１４に取り付けるためのフランジを設けたり、あるいは、クランプを用いて日除けパネル１８を主鏡骨組み１４に取り付けるなど任意である。
【００１１】
本実施の形態によればフランジ２４１０がボルト２４１２を介して主鏡骨組み１４に取着されことで、多数の日除けパネルが主鏡骨組み１４の背面に取着され、それら日除けパネルによる断熱作用が発揮される。
また、雨水が各日除けパネル１８の内部に侵入しても、水抜き用の欠部２０２０から外部に排出される。
そして、日除けパネル１８の内部に侵入した雨水は、皮膜２２０２により断熱板２２の内部への浸み込みが阻止され、雨水が断熱板２２に浸み込み、日除けパネル１８を変形させる従来の不具合を解消できる。
また、本実施の形態の製造方法によれば、断熱板２２の厚さをフレーム２０の厚さと同一の寸法に簡単に正確に形成することが可能となる。
【図面の簡単な説明】
【００１２】
【図１】電波望遠鏡の説明図である。
【図２】（Ａ）は日除けパネルの平面図、（Ｂ）は（Ａ）のＢ矢視図である。
【図３】フレームの複数の内側空間にそれぞれ断熱板が配置された状態の平面図である。
【図４】日除けパネルのフレームの分解斜視図である。
【図５】（Ａ）は図２のＸＸ断面図、（Ｂ）は図２のＹＹ断面図である。
【図６】（Ａ）は断熱板の斜視図、（Ｂ）は断熱板の断面図である。
【符号の説明】
【００１３】
１０……電波望遠鏡、１４……主鏡骨組み、１６……主鏡パネル、１８……日除けパネル、２０……フレーム、２２……断熱板、２４……カバー。
【図１】
2010041468.tif 000003
【図２】
2010041468.tif 000004
【図３】
2010041468.tif 000005
【図４】
2010041468.tif 000006
【図５】
2010041468.tif 000007
【図６】
2010041468.tif 000008